(57)【要約】【課題】本発明は、受話側端末のユーザの聞き取り難さを送話側端末のユーザが客観的に把握することができる音声通信システム、音声通信方法、送話側端末、送話側端末の音声通信方法、送話側端末の音声通信プログラム、受話側端末、受話側端末の音声通信方法及び受話側端末の音声通信プログラムの提供を目的とする。【解決手段】本願発明の音声通信システムは、送話側端末１から送信された音声データを受信して音声を出力し、出力された音声の音量レベルを測定し、測定した受話側音量レベルＶｂを送話側端末１に送信する受話側端末２と、受話側端末２から受話側音量レベルＶｂを受信して表示する送話側端末１と、を備える。【選択図】図１
2011114571.tif 000002
【特許請求の範囲】
【請求項１】
送話側端末から送信された音声データを受信して音声を出力し、出力された音声の音量レベルを測定し、測定した受話側音量レベルを前記送話側端末に送信する受話側端末と、
前記受話側端末から前記受話側音量レベルを受信して表示する送話側端末と、
を備える音声通信システム。
【請求項２】
前記受話側端末は、予め保持している所定音量レベルを前記送話側端末に送信し、
前記送話側端末は、前記受話側端末から前記所定音量レベルを受信して表示する
請求項１に記載の音声通信システム。
【請求項３】
前記送話側端末は、取得する音声の音量レベルを測定し、測定した送話側音量レベルを前記受話側端末に送信し、
前記受話側端末は、前記送話側音量レベルを受信し、受信した前記送話側音量レベルが予め保持している所定音量レベルになるように、前記送話側端末から送信された音声データの音量レベルを補正する
請求項１又は２に記載の音声通信システム。
【請求項４】
前記受話側端末は、前記音声データとは異なる通信方式を用いて、前記受話側音量レベルを前記送話側端末に送信する
請求項１から３のいずれかに記載の音声通信システム。
【請求項５】
前記音声データとは異なる通信方式は、Ｂｌｕｅｔｏｏｔｈ（登録商標）を用いた通信方式である
請求項４に記載の音声通信システム。
【請求項６】
前記受話側端末は、前記受話側音量レベルを任意の時点で測定し、前記受話側音量レベルを測定した時点を前記送話側端末に送信し、
前記送話側端末は、前記受話側端末から前記受話側音量レベルを測定した時点を受信して表示する
請求項１から５のいずれかに記載の音声通信システム。
【請求項７】
前記受話側端末は、前記送話側端末から送信される音声データの特性を取得し、取得した音声データの特性に一致する音声の音量レベルを測定する
請求項１から６のいずれかに記載の音声通信システム。
【請求項８】
前記受話側端末は、前記音量レベルを測定する手段が着脱可能である
請求項１から７のいずれかに記載の音声通信システム。
【請求項９】
送話側端末から送信された音声データを受話側端末で受信して音声を出力し、出力された音声の音量レベルを測定し、測定した受話側音量レベルを前記送話側端末に送信する受話側音量レベル送信手順と、
前記受話側端末から送信した前記受話側音量レベルを前記送話側端末で受信して表示する受話側音量レベル表示手順と、
を順に有する音声通信方法。
【請求項１０】
前記受話側音量レベル送信手順において、前記受話側端末において予め保持している所定音量レベルを、前記受話側端末から前記送話側端末に送信し、
前記受話側音量レベル表示手順において、前記受話側端末から送信した前記所定音量レベルを前記送話側端末で受信して表示する
請求項９に記載の音声通信方法。
【請求項１１】
取得する音声の音量レベルを前記送話側端末で測定し、測定した送話側音量レベルを前記受話側端末に送信する送話側音量レベル送信手順を、前記受話側音量レベル送信手順の前に有し、
前記受話側音量レベル送信手順において、前記受話側端末で受信した前記送話側音量レベルが予め保持している所定音量レベルになるように、前記送話側端末から送信された音声データの音量レベルを補正する
請求項９又は１０に記載の音声通信方法。
【請求項１２】
前記受話側音量レベル送信手順において、前記音声データとは異なる通信方式を用いて、前記受話側音量レベルを前記送話側端末に送信する
請求項９から１１のいずれかに記載の音声通信方法。
【請求項１３】
前記音声データとは異なる通信方式は、Ｂｌｕｅｔｏｏｔｈ（登録商標）を用いた通信方式である
請求項１２に記載の音声通信方法。
【請求項１４】
前記受話側音量レベル送信手順において、前記受話側音量レベルを測定した時点を前記送話側端末に送信し、
前記受話側音量レベル表示手順において、前記受話側端末から前記受話側音量レベルを測定した時点を受信して表示する
請求項９から１３のいずれかに記載の音声通信方法。
【請求項１５】
前記受話側音量レベル送信手順において、前記送話側端末から送信される音声データの特性を前記受話側端末で取得し、取得した音声データの特性に一致する音声の音量レベルを測定する
請求項９から１４のいずれかに記載の音声通信方法。
【請求項１６】
音声データを受話側端末に送信する音声通信部と、
前記受話側端末の出力する前記音声データの音声の音量レベルである受話側音量レベルを前記受話側端末から受信する音量レベル通信部と、
前記音量レベル通信部からの音量レベルを表示する表示部と、
を備える送話側端末。
【請求項１７】
前記音量レベル通信部は、前記受話側端末の予め保持している所定音量レベルを受信し、
前記表示部は、前記音量レベル通信部からの前記所定音量レベルを表示する
請求項１６に記載の送話側端末。
【請求項１８】
取得する音声の音量レベルを測定するオーディオ信号処理部を備え、
前記音量レベル通信部は、前記オーディオ信号処理部からの送話側音量レベルを前記受話側端末に送信する
請求項１６又は１７に記載の送話側端末。
【請求項１９】
前記音量レベル通信部は、前記音声通信部とは異なる通信方式を用いて、前記受話側音量レベルを受信する
請求項１６から１８のいずれかに記載の送話側端末。
【請求項２０】
前記音声通信部とは異なる通信方式は、Ｂｌｕｅｔｏｏｔｈ（登録商標）を用いた通信方式である
請求項１９に記載の送話側端末。
【請求項２１】
前記音量レベル通信部は、前記受話側音量レベルを前記受話側端末が測定した時点を、前記受話側端末から受信し、
前記表示部は、前記受話側音量レベルを測定した時点を表示する
請求項１６から２０のいずれかに記載の送話側端末。
【請求項２２】
音声データを受話側端末に送信する送話手順と、
前記受話側端末の出力する前記音声データの音声の音量レベルである受話側音量レベルを受信して表示する音量レベル表示手順と、
を有する送話側端末の音声通信方法。
【請求項２３】
前記音量レベル表示手順において、前記受話側端末の予め保持している所定音量レベルを受信して表示する
請求項２２に記載の送話側端末の音声通信方法。
【請求項２４】
取得する音声の音量レベルを測定し、測定した送話側音量レベルを前記受話側端末に送信する送話側音量レベル送信手順を、前記送話手順と前記音量レベル表示手順の間に有する
請求項２２又は２３に記載の送話側端末の音声通信方法。
【請求項２５】
前記音量レベル表示手順において、前記音声データとは異なる通信方式を用いて、前記受話側音量レベルを受信する
請求項２２から２４のいずれかに記載の送話側端末の音声通信方法。
【請求項２６】
前記音声データとは異なる通信方式は、Ｂｌｕｅｔｏｏｔｈ（登録商標）を用いた通信方式である
請求項２５に記載の送話側端末の音声通信方法。
【請求項２７】
前記音量レベル表示手順において、前記受話側音量レベルを前記受話側端末が測定した時点を受信して表示する
請求項２２から２６のいずれかに記載の送話側端末の音声通信方法。
【請求項２８】
音声データを音声通信部から受話側端末に送信する送話ステップと、
前記受話側端末の出力する前記音声データの音声の音量レベルである受話側音量レベルを音量レベル通信部で受信して表示部に表示する音量レベル表示ステップと、
を順にコンピュータに実行させる送話側端末の音声通信プログラム。
【請求項２９】
前記音量レベル表示ステップにおいて、前記受話側端末の予め保持している所定音量レベルを前記音量レベル通信部で受信して表示部に表示する
請求項２８に記載の送話側端末の音声通信プログラム。
【請求項３０】
取得する音声の音量レベルをオーディオ信号処理部で測定し、測定した送話側音量レベルを前記音量レベル通信部から前記受話側端末に送信する送話側音量レベル送信ステップを、前記送話ステップと前記音量レベル表示ステップの間に有する
請求項２８又は２９に記載の送話側端末の音声通信プログラム。
【請求項３１】
前記音量レベル表示ステップにおいて、前記音量レベル通信部が、前記音声通信部とは異なる通信方式を用いて、前記受話側音量レベルを受信する
請求項２８から３０のいずれかに記載の送話側端末の音声通信プログラム。
【請求項３２】
前記音声通信部とは異なる通信方式は、Ｂｌｕｅｔｏｏｔｈ（登録商標）を用いた通信方式である
請求項３１に記載の送話側端末の音声通信プログラム。
【請求項３３】
前記音量レベル表示ステップにおいて、前記受話側端末が前記受話側音量レベルを測定した時点を、前記音量レベル通信部が受信して表示する
請求項２８から３２のいずれかに記載の送話側端末の音声通信プログラム。
【請求項３４】
送話側端末から送信された音声データを受信する音声通信部と、
前記音声通信部からの音声データを音声に変換して出力し、出力された音声の音量レベルを測定するオーディオ信号処理部と、
前記オーディオ信号処理部の測定した受話側音量レベルを前記送話側端末に送信する音量レベル通信部と、
を備える受話側端末。
【請求項３５】
予め設定された所定音量レベルを保持する記憶部をさらに備え、
前記音量レベル通信部は、前記記憶部に保持されている所定音量レベルを前記送話側端末に送信する
請求項３４に記載の受話側端末。
【請求項３６】
前記音量レベル通信部は、前記送話側端末で測定した送話側音量レベルを受信し、
前記オーディオ信号処理部は、前記音量レベル通信部の受信する前記送話側音量レベルが予め保持している所定音量レベルになるように、前記音声通信部の受信する音声データの音量レベルを補正する
請求項３４又は３５に記載の受話側端末。
【請求項３７】
前記音量レベル通信部は、前記音声通信部とは異なる通信方式を用いて、前記受話側音量レベルを前記送話側端末に送信する
請求項３４から３６のいずれかに記載の受話側端末。
【請求項３８】
前記音声通信部とは異なる通信方式は、Ｂｌｕｅｔｏｏｔｈ（登録商標）を用いた通信方式である
請求項３７に記載の受話側端末。
【請求項３９】
前記オーディオ信号処理部は、前記受話側音量レベルを任意の時点で測定し、
前記音量レベル通信部は、前記受話側音量レベルを測定した時点を前記送話側端末に送信する
請求項３４から３８のいずれかに記載の受話側端末。
【請求項４０】
前記音量レベル通信部は、前記送話側端末から送信される音声データの特性を受信し、
前記オーディオ信号処理部は、前記音量レベル通信部の受信した音声データの特性に一致する音声の音量レベルを測定する
請求項３４から３９のいずれかに記載の受話側端末。
【請求項４１】
前記オーディオ信号処理部は、音声の音量レベルを測定する手段が着脱可能である
請求項３４から４０のいずれかに記載の受話側端末。
【請求項４２】
送話側端末から送信された音声データを受信して音声を出力し、出力された音声の音量レベルを測定し、測定した受話側音量レベルを前記送話側端末に送信する受話側音量レベル送信手順
を有する受話側端末の音声通信方法。
【請求項４３】
前記受話側音量レベル送信手順において、予め保持している所定音量レベルを前記送話側端末に送信する
請求項４２に記載の受話側端末の音声通信方法。
【請求項４４】
前記送話側端末で測定した送話側音量レベルを受信し、受信した前記送話側音量レベルが予め保持している所定音量レベルになるように、前記送話側端末から送信された音声データの音量レベルを補正する音量レベル補正手順を、前記受話側音量レベル送信手順の前にさらに有する
請求項４２又は４３に記載の受話側端末の音声通信方法。
【請求項４５】
前記受話側音量レベル送信手順において、前記音声データとは異なる通信方式を用いて、前記受話側音量レベルを前記送話側端末に送信する
請求項４２から４４のいずれかに記載の受話側端末の音声通信方法。
【請求項４６】
前記音声データとは異なる通信方式は、Ｂｌｕｅｔｏｏｔｈ（登録商標）を用いた通信方式である
請求項４５に記載の受話側端末の音声通信方法。
【請求項４７】
前記受話側音量レベル送信手順において、前記受話側音量レベルを任意の時点で測定し、前記受話側音量レベルを測定した時点を前記送話側端末に送信する
請求項４２から４６のいずれかに記載の受話側端末の音声通信方法。
【請求項４８】
前記受話側音量レベル送信手順において、前記送話側端末から送信される音声データの特性を受信し、受信した音声データの特性に一致する音声の音量レベルを測定する
請求項４２から４７のいずれかに記載の受話側端末の音声通信方法。
【請求項４９】
送話側端末から送信された音声データを音声通信部で受信してオーディオ信号処理部から音声を出力し、出力された音声の音量レベルを前記オーディオ信号処理部で測定し、測定した受話側音量レベルを音量レベル通信部から前記送話側端末に送信する受話側音量レベル送信ステップ
をコンピュータに実行させる受話側端末の音声通信プログラム。
【請求項５０】
前記受話側音量レベル送信ステップにおいて、記憶部に予め保持されている所定音量レベルを前記送話側端末に送信する
請求項４９に記載の受話側端末の音声通信プログラム。
【請求項５１】
前記送話側端末で測定した送話側音量レベルを前記音量レベル通信部で受信し、受信した前記送話側音量レベルが予め保持している所定音量レベルになるように、前記音声通信部の受信する音声データの音量レベルを補正する音量レベル補正ステップを、前記受話側音量レベル送信ステップの前にさらに有する
請求項４９又は５０に記載の受話側端末の音声通信プログラム。
【請求項５２】
前記受話側音量レベル送信ステップにおいて、前記音量レベル通信部が、前記音声通信部とは異なる通信方式を用いて、前記受話側音量レベルを前記送話側端末に送信する
請求項４９から５１のいずれかに記載の受話側端末の音声通信プログラム。
【請求項５３】
前記音声通信部とは異なる通信方式は、Ｂｌｕｅｔｏｏｔｈ（登録商標）を用いた通信方式である
請求項５２に記載の受話側端末の音声通信プログラム。
【請求項５４】
前記受話側音量レベル送信ステップにおいて、前記受話側音量レベルを任意の時点で測定し、前記受話側音量レベルを測定した時点を前記音量レベル通信部から前記送話側端末に送信する
請求項４９から５３のいずれかに記載の受話側端末の音声通信プログラム。
【請求項５５】
前記受話側音量レベル送信ステップにおいて、前記送話側端末から送信される音声データの特性を前記音量レベル通信部で受信し、受信した音声データの特性に一致する音声の音量レベルを前記オーディオ信号処理部で測定する
請求項４９から５４のいずれかに記載の受話側端末の音声通信プログラム。
【発明の詳細な説明】
【技術分野】
【０００１】
本発明は、送話側端末と受話側端末との間で音声通信を行う音声通信システム及び音声通信方法に関する。
【背景技術】
【０００２】
音声通信を行う音声通信システムが提案されている（例えば、特許文献１−３参照。）。
【０００３】
特許文献１に記載された音声通信システムは、音声出力装置と、周波数特性切り替え手段と、を備え、以下のように動作する。音声出力装置は、スピーカモードとレシーバモードのいずれかで音声を出力する。周波数特性切り替え手段は、音声出力装置がスピーカモードかレシーバモードかに応じて、周波数特性を切り替える。これにより、スピーカモードとレシーバモードのそれぞれに適した周波数特性を設定する。
【０００４】
特許文献２に記載された音声通信システムは、移動機と、発音練習支援システムと、を備え、以下のように動作する。移動機は、音声データを発音練習支援システムに送信する。発音練習支援システムは、音声データを受信して発声を評定し、評定結果をデータベース化する。これにより、英会話などの発音練習のコンテンツを供給する。
【０００５】
特許文献３に記載された音声通信システムは、送話側端末と、受話側端末と、を備え、以下のように動作する。送話側端末は、音声補正処理の調整パラメータを受話側端末に送信する。受話側端末は、音声補正処理の調整パラメータを受信して表示する。これにより、受話側端末のユーザは、送話側端末の調整パラメータの状況を把握可能となる。そして、受話側端末は、送話側端末の調整パラメータを変更させる変更要求を送信する。送話側端末は、変更要求に従って音声補正処理の調整パラメータを変更する。これにより、送話側端末が有する音声補正機能を活用する。
【先行技術文献】
【特許文献】
【０００６】
【特許文献１】特開２００４−１２９１１２号公報
【特許文献２】特開２００５−３１２０７号公報
【特許文献３】特開２００８−９８８４１号公報
【発明の概要】
【発明が解決しようとする課題】
【０００７】
音声通信システムにおいて、受話側端末のユーザが送話側端末のユーザの声を聞き取り難い場合がある。この場合に、特許文献１から３に記載された音声通信システムでは、受話側端末のユーザが判断して対処することができる。しかし、送話側端末のユーザは、受話側端末のユーザの聞き取り難さを客観的に知ることができなかった。
【０００８】
そこで、本発明は、受話側端末のユーザの聞き取り難さを送話側端末のユーザが客観的に把握することができる音声通信システム、音声通信方法、送話側端末、送話側端末の音声通信方法、送話側端末の音声通信プログラム、受話側端末、受話側端末の音声通信方法及び受話側端末の音声通信プログラムの提供を目的とする。
【課題を解決するための手段】
【０００９】
本願発明の音声通信システムは、送話側端末から送信された音声データを受信して音声を出力し、出力された音声の音量レベルを測定し、測定した受話側音量レベルを前記送話側端末に送信する受話側端末と、前記受話側端末から前記受話側音量レベルを受信して表示する送話側端末と、を備える。
【００１０】
本願発明の音声通信方法は、送話側端末から送信された音声データを受話側端末で受信して音声を出力し、出力された音声の音量レベルを測定し、測定した受話側音量レベルを前記送話側端末に送信する受話側音量レベル送信手順と、前記受話側端末から送信した前記受話側音量レベルを前記送話側端末で受信して表示する受話側音量レベル表示手順と、を順に有する。
【００１１】
本願発明の送話側端末は、音声データを受話側端末に送信する音声通信部と、前記受話側端末の出力する前記音声データの音声の音量レベルである受話側音量レベルを前記受話側端末から受信する音量レベル通信部と、前記音量レベル通信部からの音量レベルを表示する表示部と、を備える。
【００１２】
本願発明の送話側端末の音声通信方法は、音声データを受話側端末に送信する送話手順と、前記受話側端末の出力する前記音声データの音声の音量レベルである受話側音量レベルを受信して表示する音量レベル表示手順と、を有する。
【００１３】
本願発明の送話側端末の音声通信プログラムは、音声データを音声通信部から受話側端末に送信する送話ステップと、前記受話側端末の出力する前記音声データの音声の音量レベルである受話側音量レベルを音量レベル通信部で受信して表示部に表示する音量レベル表示ステップと、を順にコンピュータに実行させる。
【００１４】
本願発明の受話側端末は、送話側端末から送信された音声データを受信する音声通信部と、前記音声通信部からの音声データを音声に変換して出力し、出力された音声の音量レベルを測定するオーディオ信号処理部と、前記オーディオ信号処理部の測定した受話側音量レベルを前記送話側端末に送信する音量レベル通信部と、を備える。
【００１５】
本願発明の受話側端末の音声通信方法は、送話側端末から送信された音声データを受信して音声を出力し、出力された音声の音量レベルを測定し、測定した受話側音量レベルを前記送話側端末に送信する受話側音量レベル送信手順を有する。
【００１６】
本願発明の受話側端末の音声通信プログラムは、送話側端末から送信された音声データを音声通信部で受信してオーディオ信号処理部から音声を出力し、出力された音声の音量レベルを前記オーディオ信号処理部で測定し、測定した受話側音量レベルを音量レベル通信部から前記送話側端末に送信する受話側音量レベル送信ステップをコンピュータに実行させる。
【発明の効果】
【００１７】
本発明によれば、受話側端末のユーザの聞き取り難さを送話側端末のユーザが客観的に把握することができる音声通信システム、音声通信方法、送話側端末、送話側端末の音声通信方法、送話側端末の音声通信プログラム、受話側端末、受話側端末の音声通信方法及び受話側端末の音声通信プログラムを提供することができる。
【図面の簡単な説明】
【００１８】
【図１】実施形態１に係る音声通信システムの一例を示す。
【図２】実施形態１に係る音声通信方法の一例を示す。
【図３】実施形態１に係る送話側端末の音声通信方法の一例を示す。
【図４】実施形態１に係る送話側端末の音声通信プログラムの一例を示す。
【図５】実施形態１に係る受話側端末の音声通信方法の一例を示す。
【図６】実施形態１に係る受話側端末の音声通信プログラムの一例を示す。
【図７】実施形態２に係る音声通信システムの一例を示す。
【図８】実施形態２に係る音声通信方法の一例を示す。
【図９】実施形態２に係る送話側端末の音声通信方法の一例を示す。
【図１０】実施形態２に係る送話側端末の音声通信プログラムの一例を示す。
【図１１】実施形態２に係る受話側端末の音声通信方法の一例を示す。
【図１２】実施形態２に係る受話側端末の音声通信プログラムの一例を示す。
【図１３】実施形態３に係る音声通信システムの一例を示す。
【図１４】実施形態３に係る送信側端末及び受信側端末の構成の一例を示す。
【図１５】実施形態３に係る送信側端末及び受信側端末の動作の一例を示す。
【図１６】音量レベルの表示例を示す。
【発明を実施するための形態】
【００１９】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２０】
（実施形態１）
図１に、実施形態１に係る音声通信システムの一例を示す。実施形態１に係る音声通信システムは、送話側端末１と、受話側端末２と、を備える。
【００２１】
受話側端末２は、送話側端末１から送信された音声データを受信して音声を出力し、出力された音声の音量レベルを測定し、測定した受話側音量レベルＶｂを送話側端末１に送信する。送話側端末１は、受話側端末２から受話側音量レベルＶｂを受信して表示する。これにより、受話側端末２のユーザの聞き取り難さを送話側端末１のユーザが客観的に把握することができる。
【００２２】
実施形態１に係る音声通信システムは、実施形態１に係る音声通信方法を実行する。図２に、実施形態１に係る音声通信方法の一例を示す。実施形態１に係る音声通信方法は、受話側音量レベル送信手順Ｓ１０１と、受話側音量レベル表示手順Ｓ１０２と、を順に有する。
【００２３】
受話側音量レベル送信手順Ｓ１０１では、送話側端末１から送信された音声データを受話側端末２で受信して音声を出力し、出力された音声の音量レベルを測定し、測定した受話側音量レベルＶｂを送話側端末１に送信する。受話側音量レベル表示手順Ｓ１０２では、受話側端末２から送信した受話側音量レベルＶｂを送話側端末１で受信して表示する。これにより、受話側端末２のユーザの聞き取り難さを送話側端末１のユーザが客観的に把握することができる。
【００２４】
送話側端末１は、音声通信部１１と、音量レベル通信部１２と、表示部１３と、を備える。音声通信部１１は、音声データを受話側端末２に送信する。音量レベル通信部１２は、受話側端末２の出力する音声データの音声の音量レベルである受話側音量レベルＶｂを受話側端末２から受信する。表示部１３は、音量レベル通信部１２からの受話側音量レベルＶｂを表示する。これにより、受話側端末２のユーザの聞き取り難さを送話側端末１のユーザが客観的に把握することができる。
【００２５】
送話側端末１は、実施形態１に係る送話側端末の音声通信方法を実行する。図３に、実施形態１に係る送話側端末の音声通信方法の一例を示す。実施形態１に係る送話側端末の音声通信方法は、送話手順Ｓ１１１と、音量レベル表示手順Ｓ１１２と、を順に有する。
【００２６】
送話手順Ｓ１１１では、音声データを受話側端末２に送信する。音量レベル表示手順Ｓ１１２では、受話側端末２の出力する音声データの音声の音量レベルである受話側音量レベルＶｂを受信して表示する。これにより、受話側端末２のユーザの聞き取り難さを送話側端末１のユーザが客観的に把握することができる。
【００２７】
送話側端末１は、実施形態１に係る送話側端末の音声通信プログラムをコンピュータに実行させることで実現してもよい。図４に、実施形態１に係る送話側端末の音声通信プログラムの一例を示す。実施形態１に係る送話側端末の音声通信プログラムは、送話ステップＳ２１１と、音量レベル表示ステップＳ２１２と、を順にコンピュータに実行させる。
【００２８】
送話ステップＳ２１１では、音声データを音声通信部１１から受話側端末２に送信する。音量レベル表示ステップＳ２１２では、受話側端末２の出力する音声データの音声の音量レベルである受話側音量レベルＶｂを音量レベル通信部１２で受信して表示部１３に表示する。これにより、コンピュータを用いて送話側端末１を実現することができる。
【００２９】
受話側端末２は、音声通信部２１と、音量レベル通信部２２と、オーディオ信号処理部２４と、を備える。音声通信部２１は、送話側端末１から送信された音声データを受信する。オーディオ信号処理部２４は、音声通信部２１からの音声データを音声に変換して出力し、出力された音声の受話側音量レベルＶｂを測定する。音量レベル通信部２２は、オーディオ信号処理部２４の測定した受話側音量レベルＶｂを送話側端末１に送信する。これにより、受話側端末２のユーザの聞き取り難さを送話側端末１のユーザが客観的に把握することができる。
【００３０】
受話側端末２は、実施形態１に係る受話側端末の音声通信方法を実行する。図５に、実施形態１に係る受話側端末の音声通信方法の一例を示す。実施形態１に係る受話側端末の音声通信方法は、受話側音量レベル送信手順Ｓ１２１を有する。
【００３１】
受話側音量レベル送信手順Ｓ１２１では、送話側端末１から送信された音声データを受信して音声を出力し、出力された音声の音量レベルを測定し、測定した受話側音量レベルＶｂを送話側端末１に送信する。これにより、受話側端末２のユーザの聞き取り難さを送話側端末１のユーザが客観的に把握することができる。
【００３２】
受話側端末２は、実施形態１に係る受話側端末の音声通信プログラムをコンピュータに実行させることで実現してもよい。図６に、実施形態１に係る受話側端末の音声通信プログラムの一例を示す。実施形態１に係る受話側端末の音声通信プログラムは、受話側音量レベル送信ステップＳ２２１をコンピュータに実行させる。
【００３３】
受話側音量レベル送信ステップＳ２２１では、送話側端末１から送信された音声データを音声通信部２１で受信してオーディオ信号処理部２４から音声を出力し、出力された音声の音量レベルをオーディオ信号処理部２４で測定し、測定した受話側音量レベルＶｂを音量レベル通信部２２から送話側端末１に送信する。これにより、コンピュータを用いて受話側端末２を実現することができる。
【００３４】
（実施形態２）
図７に、実施形態２に係る音声通信システムの一例を示す。実施形態２に係る音声通信システムは、送信側端末１と、受信側端末２と、を備える。
【００３５】
音声通信システムは、実施形態２に係る音声通信方法を実行する。図８に、実施形態２に係る音声通信方法の一例を示す。実施形態２に係る音声通信方法は、送話側音量レベル送信手順Ｓ１０３と、受話側音量レベル送信手順Ｓ１０１と、受話側音量レベル表示手順Ｓ１０２と、を順に有する。
【００３６】
送信側端末１は、音声通信部１１と、音量レベル通信部１２と、表示部１３と、オーディオ信号処理部１４と、を備える。送信側端末１は、実施形態２に係る送話側端末の音声通信方法を実行する。図９に、実施形態２に係る送話側端末の音声通信方法の一例を示す。実施形態２に係る送話側端末の音声通信方法は、送話手順Ｓ１１１と、送話側音量レベル送信手順Ｓ１１３と、音量レベル表示手順Ｓ１１２と、を順に有する。
【００３７】
送話側端末１は、実施形態２に係る送話側端末の音声通信プログラムをコンピュータに実行させることで実現してもよい。図１０に、実施形態２に係る送話側端末の音声通信プログラムの一例を示す。実施形態２に係る送話側端末の音声通信プログラムは、送話ステップＳ２１１と、送話側音量レベル送信ステップＳ２１３と、音量レベル表示ステップＳ２１２と、を順にコンピュータに実行させる。
【００３８】
受信側端末２は、音声通信部２１と、音量レベル通信部２２と、オーディオ信号処理部２４と、記憶部２５と、を備える。受話側端末２は、実施形態２に係る受話側端末の音声通信方法を実行する。図１１に、実施形態２に係る受話側端末の音声通信方法の一例を示す。実施形態２に係る受話側端末の音声通信方法は、音量レベル補正手順Ｓ１２３と、受話側音量レベル送信手順Ｓ１２１と、を順に有する。
【００３９】
受信側端末２は、実施形態２に係る受話側端末の音声通信プログラムをコンピュータに実行させることで実現してもよい。図１２に、実施形態２に係る受話側端末の音声通信プログラムの一例を示す。実施形態２に係る受話側端末の音声通信プログラムは、音量レベル補正ステップＳ２２３と、受話側音量レベル送信ステップＳ２２１と、を順にコンピュータに実行させる。
【００４０】
図７に示す音声通信システムは、以下の構成を備える。受話側端末２は、予め保持している所定音量レベルＶｃを送話側端末１に送信する。送話側端末１は、受話側端末２から所定音量レベルＶｃを受信して表示する。これにより、送話側端末１のユーザは、受話側音量レベルＶｂと所定音量レベルＶｃを比較することができる。所定音量レベルＶｃを受話側端末２のユーザの聞きやすい音量レベルに設定することで、受話側端末２のユーザの聞き取り難さを定量的に把握することができる。
【００４１】
この場合、音声通信システムは、以下の音声通信方法を実行する。図８に示す受話側音量レベル送信手順Ｓ１０１において、受話側端末２において予め保持している所定音量レベルＶｃを、受話側端末２から送話側端末１に送信する。受話側音量レベル表示手順Ｓ１０２において、受話側端末２から送信した所定音量レベルＶｃを送話側端末１で受信して表示する。
【００４２】
この場合、送話側端末１は以下の構成を備える。図７に示す音量レベル通信部１２は、受話側端末２の予め保持している所定音量レベルＶｃを受信する。表示部１３は、音量レベル通信部１２からの所定音量レベルＶｃを表示する。
【００４３】
この場合、送話側端末１は以下の送話側端末１の音声通信方法を実行する。図９に示す音量レベル表示手順Ｓ１１２において、受話側端末２の予め保持している所定音量レベルＶｃを受信して表示する。
【００４４】
この場合、以下の送話側端末１の音声通信プログラムをコンピュータに実行させることで送話側端末１を実現してもよい。図１０に示す音量レベル表示ステップＳ２１２において、受話側端末２の予め保持している所定音量レベルＶｃを音量レベル通信部１２で受信して表示部１３に表示する。
【００４５】
この場合、受話側端末２は以下の構成を備える。図７に示す記憶部２５は、予め設定された所定音量レベルを保持する。音量レベル通信部２２は、記憶部２５に保持されている所定音量レベルＶｃを送話側端末１に送信する。
【００４６】
この場合、受話側端末２は以下の送話側端末１の音声通信方法を実行する。図１１に示す受話側音量レベル送信手順Ｓ１２１において、予め保持している所定音量レベルＶｃを送話側端末１に送信する。
【００４７】
この場合、以下の受話側端末２の音声通信プログラムをコンピュータに実行させることで受話側端末２を実現してもよい。図１２に示す受話側音量レベル送信ステップＳ２２１において、記憶部２５に予め保持されている所定音量レベルＶｃを送話側端末１に送信する。
【００４８】
図７に示す音声通信システムは以下の構成を備える。送話側端末１は、取得する音声の音量レベルを測定し、測定した送話側音量レベルＶａを受話側端末２に送信する。受話側端末２は、送話側音量レベルＶａを受信し、受信した送話側音量レベルＶａが予め保持している所定音量レベルＶｃになるように、送話側端末１から送信された音声データの音量レベルを補正する。所定音量レベルＶｃを受話側端末２にとって聞きやすい音量レベルに設定しておくことで、送話側端末１から送信された音声データの音量レベルを、受話側端末２にとって聞きやすい音量レベルに自動的に補正することができる。
【００４９】
この場合、音声通信システムは、以下の音声通信方法を実行する。図８に示す送話側音量レベル送信手順Ｓ１０３において、取得する音声の音量レベルを送話側端末１で測定し、測定した送話側音量レベルＶａを受話側端末２に送信する。受話側音量レベル送信手順Ｓ１０１において、受話側端末２で受信した送話側音量レベルＶａが予め保持している所定音量レベルＶｃになるように、送話側端末１から送信された音声データの音量レベルを補正する。
【００５０】
この場合、送話側端末は以下の構成を備える。図７に示すオーディオ信号処理部１４は、取得する音声の音量レベルを測定する。音量レベル通信部１２は、オーディオ信号処理部１４からの送話側音量レベルＶａを受話側端末２に送信する。
【００５１】
この場合、送話側端末は以下の送話側端末の音声通信方法を実行する。図９に示す送話側音量レベル送信手順Ｓ１１３において、取得する音声の音量レベルを測定し、測定した送話側音量レベルＶａを受話側端末２に送信する。
【００５２】
この場合、以下の送話側端末の音声通信プログラムをコンピュータに実行させることで送話側端末１を実現してもよい。図１０に示す送話側音量レベル送信ステップＳ２１３において、取得する音声の音量レベルをオーディオ信号処理部１４で測定し、測定した送話側音量レベルＶａを音量レベル通信部１２から受話側端末２に送信する。これにより、コンピュータを用いて送話側端末１を実現することができる。
【００５３】
この場合、受話側端末は以下の構成を備える。図７に示す音量レベル通信部２２は、送話側端末１で測定した送話側音量レベルＶａを受信する。オーディオ信号処理部２４は、音量レベル通信部２２の受信する送話側音量レベルＶａが予め保持している所定音量レベルＶｃになるように、音声通信部２１の受信する音声データの音量レベルを補正する。
【００５４】
この場合、受話側端末は以下の送話側端末の音声通信方法を実行する。図１１に示す音量レベル補正手順Ｓ１２３において、送話側端末１で測定した送話側音量レベルＶａを受信し、受信した送話側音量レベルＶａが予め保持している所定音量レベルＶｃになるように、送話側端末１から送信された音声データの音量レベルを補正する。
【００５５】
この場合、以下の受話側端末の音声通信プログラムをコンピュータに実行させることで受話側端末２を実現してもよい。図１２に示す音量レベル補正ステップＳ２２３において、送話側端末１で測定した送話側音量レベルＶａを音量レベル通信部２２で受信し、受信した送話側音量レベルＶａが予め保持している所定音量レベルＶｃになるように、音声通信部２１の受信する音声データの音量レベルを補正する。これにより、コンピュータを用いて受話側端末２を実現することができる。
【００５６】
図７に示す音声通信システムは、以下の構成を備える。受話側端末２は、音声データとは異なる通信方式を用いて、受話側音量レベルＶｂを送話側端末１に送信する。ここで、音声データとは異なる通信方式は、例えば、Ｂｌｕｅｔｏｏｔｈ（登録商標）を用いた通信方式である。音声データの送受信への影響を避けることができるため、音量レベルの送受信に起因する通話の妨げを防ぐことができる。
【００５７】
この場合、音声通信システムは、以下の音声通信方法を実行する。図８に示す受話側音量レベル送信手順Ｓ１０１において、音声データとは異なる通信方式を用いて、受話側音量レベルＶｂを送話側端末１に送信する。音声データとは異なる通信方式は、例えば、Ｂｌｕｅｔｏｏｔｈ（登録商標）を用いた通信方式である。
【００５８】
この場合、送話側端末１は以下の構成を備える。図７に示す音量レベル通信部１２は、音声通信部１１とは異なる通信方式を用いて、受話側音量レベルＶｂを受信する。音声通信部１１とは異なる通信方式は、例えば、Ｂｌｕｅｔｏｏｔｈ（登録商標）を用いた通信方式である。
【００５９】
この場合、送話側端末１は以下の送話側端末の音声通信方法を実行する。図９に示す音量レベル表示手順Ｓ１１２において、音声データとは異なる通信方式を用いて、受話側音量レベルＶｂを受信する。音声データとは異なる通信方式は、例えば、Ｂｌｕｅｔｏｏｔｈ（登録商標）を用いた通信方式である。
【００６０】
この場合、以下の送話側端末の音声通信プログラムをコンピュータに実行させることで送話側端末１を実現してもよい。図１０に示す音量レベル表示ステップＳ２１２において、音量レベル通信部１２が、音声通信部１１とは異なる通信方式を用いて、受話側音量レベルＶｂを受信する。音声通信部１１とは異なる通信方式は、Ｂｌｕｅｔｏｏｔｈ（登録商標）を用いた通信方式である。
【００６１】
この場合、受話側端末は以下の構成を備える。図７に示す音量レベル通信部２２は、音声通信部２１とは異なる通信方式を用いて、受話側音量レベルＶｂを送話側端末１に送信する。音声通信部２１とは異なる通信方式は、例えば、Ｂｌｕｅｔｏｏｔｈ（登録商標）を用いた通信方式である。
【００６２】
この場合、受話側端末は以下の送話側端末の音声通信方法を実行する。図１１に示す受話側音量レベル送信手順Ｓ１２１において、音声データとは異なる通信方式を用いて、受話側音量レベルＶｂを送話側端末１に送信する。音声データとは異なる通信方式は、例えば、Ｂｌｕｅｔｏｏｔｈ（登録商標）を用いた通信方式である。
【００６３】
この場合、以下の受話側端末の音声通信プログラムをコンピュータに実行させることで受話側端末２を実現してもよい。図１２に示す受話側音量レベル送信ステップＳ２２１において、音量レベル通信部２２が、音声通信部２１とは異なる通信方式を用いて、受話側音量レベルＶｂを送話側端末１に送信する。音声通信部２１とは異なる通信方式は、Ｂｌｕｅｔｏｏｔｈ（登録商標）を用いた通信方式である。
【００６４】
図７に示す音声通信システムは、以下の構成を備える。受話側端末２は、受話側音量レベルＶｂを任意の時点で測定し、受話側音量レベルＶｂを測定した時点Ｔｂを送話側端末１に送信する。送話側端末１は、受話側端末２から受話側音量レベルＶｂを測定した時点Ｔｂを受信して表示する。送話側端末１のユーザは、受話側音量レベルＶｂを測定した時点Ｔｂを把握することができる。これにより、受話側音量レベルＶｂの変化の原因を把握することができる。
【００６５】
この場合、音声通信システムは、以下の音声通信方法を実行する。図８に示す受話側音量レベル送信手順Ｓ１０１において、受話側音量レベルＶｂを測定した時点Ｔｂを送話側端末１に送信する。受話側音量レベル表示手順Ｓ１０２において、受話側端末２から受話側音量レベルＶｂを測定した時点Ｔｂを受信して表示する。
【００６６】
この場合、送話側端末１は以下の構成を備える。図７に示す音量レベル通信部１２は、受話側音量レベルＶｂを受話側端末２が測定した時点Ｔｂを、受話側端末２から受信する。表示部１３は、受話側音量レベルＶｂを測定した時点Ｔｂを表示する。
【００６７】
この場合、送話側端末１は以下の送話側端末の音声通信方法を実行する。図９に示す音量レベル表示手順Ｓ１１２において、受話側音量レベルＶｂを受話側端末２が測定した時点Ｔｂを受信して表示する。
【００６８】
この場合、以下の送話側端末の音声通信プログラムをコンピュータに実行させることで送話側端末１を実現してもよい。図１０に示す音量レベル表示ステップＳ２１２において、受話側端末２が受話側音量レベルＶｂを測定した時点Ｔｂを、音量レベル通信部１２が受信して表示する。
【００６９】
この場合、受話側端末は以下の構成を備える。図７に示すオーディオ信号処理部２４は、受話側音量レベルＶｂを任意の時点で測定する。音量レベル通信部２２は、受話側音量レベルＶｂを測定した時点Ｔｂを送話側端末１に送信する。
【００７０】
この場合、受話側端末は以下の送話側端末の音声通信方法を実行する。図１１に示す受話側音量レベル送信手順Ｓ１２１において、受話側音量レベルＶｂを任意の時点で測定し、受話側音量レベルＶｂを測定した時点Ｔｂを送話側端末１に送信する。
【００７１】
この場合、以下の受話側端末の音声通信プログラムをコンピュータに実行させることで受話側端末２を実現してもよい。図１２に示す受話側音量レベル送信ステップＳ２２１において、受話側音量レベルＶｂを任意の時点で測定し、受話側音量レベルＶｂを測定した時点Ｔｂを音量レベル通信部２２から送話側端末１に送信する。
【００７２】
図７に示す音声通信システムは、以下の構成を備える。受話側端末２は、送話側端末１から送信される音声データの特性Ｓａを取得し、取得した音声データの特性Ｓａに一致する音声の音量レベルを測定する。これにより、送話側端末１のユーザの音声の音量レベルを測定する際における、車などの騒音や送話側端末１のユーザ以外の人の声の影響を低減することができる。したがって、送話側端末１のユーザは、より正確な受信側音量レベルＶｂを把握することができる。なお、音声データの特性Ｓａは、送話側端末１が予め保持している情報であってもよいし、音声データを解析することで取得してもよい。
【００７３】
この場合、音声通信システムは、以下の音声通信方法を実行する。図８に示す受話側音量レベル送信手順Ｓ１０１において、送話側端末１から送信される音声データの特性Ｓａを受話側端末２で取得し、取得した音声データの特性Ｓａに一致する音声の音量レベルを測定する。
【００７４】
この場合、受話側端末は以下の構成を備える。図７に示す音量レベル通信部２２は、送話側端末１から送信される音声データの特性Ｓａを受信する。オーディオ信号処理部２４は、音量レベル通信部２２の受信した音声データの特性Ｓａに一致する音声の音量レベルを測定する。
【００７５】
この場合、受話側端末は以下の送話側端末の音声通信方法を実行する。図１１に示す受話側音量レベル送信手順Ｓ１２１において、送話側端末１から送信される音声データの特性Ｓａを受信し、受信した音声データの特性Ｓａに一致する音声の音量レベルを測定する。
【００７６】
この場合、以下の受話側端末の音声通信プログラムをコンピュータに実行させることで受話側端末２を実現してもよい。図１２に示す受話側音量レベル送信ステップＳ２２１において、送話側端末１から送信される音声データの特性Ｓａを音量レベル通信部２２で受信し、受信した音声データの特性Ｓａに一致する音声の音量レベルをオーディオ信号処理部２４で測定する。
【００７７】
図７に示す音声通信システムは、以下の構成を備える。受話側端末２は、音量レベルを測定する手段が着脱可能である。これにより、送話側端末１のユーザの音声の音量レベルを測定する際における、車などの騒音や送話側端末１のユーザ以外の人の声の影響を低減することができる。したがって、送話側端末１のユーザは、より正確な受信側音量レベルＶｂを把握することができる。
【００７８】
この場合、受話側端末２は以下の構成を備える。図７に示すオーディオ信号処理部２４は、音声の音量レベルを測定する手段が着脱可能である。
【００７９】
（実施形態３）
図１３に、実施形態３に係る音声通信システムの一例を示す。実施形態３に係る音声通信システムは、送信側端末１と、受信側端末２と、を備える。送信側端末１は、話し手側の端末である。受信側端末２は、聞き手側の端末である。送信側端末１と受信側端末２は、会合などで話し手と単数あるいは複数の聞き手との距離が隔たれた環境下で、肉声によって聞き手に音声を伝える。この環境下において、聞き手側が感じる話し手の音量レベルを簡易的に測定し、測定した結果と聞き手が聞き取りやすい所定音量レベルとを話し手側に知らせる。以上により、電話機以外の使い方として、聞き手に聞きやすい音量レベルを話し手が把握しつつ、話し手が、発声するときの音量レベルをリアルタイムに調整することを支援可能とした。
【００８０】
図１４に、実施形態３に係る送信側端末及び受信側端末の構成の一例を示す。携帯電話機３０は、無線機３１と、Ｂｌｕｅｔｏｏｔｈ（登録商標）送受信部３２と、表示部３３と、オーディオ信号処理部３４と、操作部３５と、制御部３６と、を備える。
【００８１】
携帯電話機３０は、送信側端末及び受信側端末の機能を有する。無線機３１は、音声通信部１１及び音声通信部２１として機能する。Ｂｌｕｅｔｏｏｔｈ送受信部３２は、音量レベル通信部１２及び音量レベル通信部２２として機能する。表示部３３は、表示部１３として機能する。オーディオ信号処理部３４は、オーディオ信号処理部１４及びオーディオ信号処理部２４として機能する。
【００８２】
無線機３１は、基地局と移動局（携帯電話機）とのベースバンドレベルのデータ通信を可能とする。制御部３６は、音声などの信号処理を行うオーディオ信号処理部３４との通信制御、Ｂｌｕｅｔｏｏｔｈ（登録商標）通信制御などを行う。表示部３３は、音量レベルなどを表示する。オーディオ信号処理部３４は、音声データを音声に変換してスピーカから出力するとともに、マイクから音声を取得する。
【００８３】
次に、実施形態３に係る送信側端末及び受信側端末の動作の一例について図１５を用いて説明する。話し手が使うのが送話側端末１、聞き手側が使うのが受話側端末２とする。まず話し手が音声を発する。そのとき送話側端末１のマイクがその音声を拾って、話し手側の送話側音量レベルＶｂｂを送話側端末１の制御部３６が認識し、表示部３３に音量レベルを表示する。
【００８４】
受話側端末２のオーディオ信号処理部３４のマイクで拾った話し手の音量レベルを聞き手が感じる受話側音量レベルＶｂａとして制御部３６が認識し、聞き手が聞きやすい所定音量レベルＶｃとともに送話側端末１にＢｌｕｅｔｏｏｔｈ（登録商標）を用いて送る。所定音量レベルＶｃは予め聞き手が受話側端末２に登録しておく。
【００８５】
送話側端末１は、Ｂｌｕｅｔｏｏｔｈ（登録商標）を介して受話側端末２から受け取った情報をもとに受話側音量レベルＶｂａと所定音量レベルＶｃを表示部３３に表示する。図１６に、音量レベルの表示例を示す。画面上に、話し手側での測定した送話側音量レベルＶｂｂと、聞き手側で測定した受話側音量レベルＶｂａと、聞き手が聞きやすい所定音量レベルＶｃと、が表示されている。
【００８６】
以上の通信を定期で行うことで、話し手は居ながらにして聞き手に届いている自分（話し手）の音量レベルをモニタすることができる。聞き手の聞きやすいレベルとの差がどの程度かを把握できるため、話し手が、音量レベルを聞き手の聞きやすいレベルに調整しつつ発声できる。したがって、聞き手に聞き取り易い音量レベルを簡易的に客観的に発声することができる。または、音声の響き具合をゲーム感覚で会得することもできる。
【００８７】
なお、送話側端末１のマイクで捉えた話し手の音声をＢｌｕｅｔｏｏｔｈ（登録商標）を介して受話側端末２のレシーバ（受話器）に送り、所定音量レベルＶｃとの差分を補ってレシーバにより補聴を行う機能を備えていてもよい。また、Ｂｌｕｅｔｏｏｔｈ（登録商標）通信の代わりに、携帯電話機３０が備えている基地局を介する通信を使用してもよい。
【００８８】
聞き手が話し手の音声を聞いている途中で、聞き取りにくい部分があったときに、ボタン押下などにより、Ｂｌｕｅｔｏｏｔｈ（登録商標）でそのタイミングを話し手に知らせる機能も付加してもよい。
【００８９】
受話側端末２のマイク部分を独立させ、送話側端末１に着脱可能としてもよい。
【００９０】
話し手の声を、周囲雑音と区別するため、声道特性を予め受話側端末２に登録可能としてもよい。
【産業上の利用可能性】
【００９１】
本発明は、情報通信産業に適用することができる。
【符号の説明】
【００９２】
１：送信側端末
２：受信側端末
１１：音声通信部
１２：音量レベル通信部
１３：表示部
１４：オーディオ信号処理部
２１：音声通信部
２２：音量レベル通信部
２４：オーディオ信号処理部
２５：記憶部
３０：携帯電話機
３１：無線機
３２：Ｂｌｕｅｔｏｏｔｈ送受信部
３３：表示部
３４：オーディオ信号処理部
３５：操作部
３６：制御部
【図１】
2011114571.tif 000003
【図２】
2011114571.tif 000004
【図３】
2011114571.tif 000005
【図４】
2011114571.tif 000006
【図５】
2011114571.tif 000007
【図６】
2011114571.tif 000008
【図７】
2011114571.tif 000009
【図８】
2011114571.tif 000010
【図９】
2011114571.tif 000011
【図１０】
2011114571.tif 000012
【図１１】
2011114571.tif 000013
【図１２】
2011114571.tif 000014
【図１３】
2011114571.tif 000015
【図１４】
2011114571.tif 000016
【図１５】
2011114571.tif 000017
【図１６】
2011114571.tif 000018